(57)【要約】【課題】  高速なフォーカシングが容易でしかもフォーカシングに際しての収差変動が少なく物体距離全般にわたり高い光学性能が容易に得られるズームレンズを得ること。【解決手段】  複数のレンズ群を有し、ズーミングに際して隣り合うレンズ群の間隔が変化するズームレンズにおいて、複数のレンズ群は物体側から像側へ正の屈折力の第１レンズ群１、１つ以上のレンズ群を有し全体として負の屈折力の中間群、複数のレンズ群を有し全体として正の屈折力の後群より構成され、後群は物体側から像側へズーミングに際して不動の正の屈折力のレンズ群ＬＲｏ、ズーミング及びフォーカシングに際して移動する負の屈折力のレンズ群ＬＲｎ、ズーミング及びフォーカシングに際して、レンズ群ＬＲｎとは異なった軌跡で移動する正の屈折力のレンズ群ＬＲｐを有し、広角端におけるレンズ群ＬＲｎの横倍率βＲｎｗ、広角端におけるレンズ群ＬＲｐの横倍率βＲｐｗを適切に設定する。【選択図】図１
2020016808.tif 000002
【特許請求の範囲】
【請求項１】
複数のレンズ群を有し、ズーミングに際して隣り合うレンズ群の間隔が変化するズームレンズにおいて、
前記複数のレンズ群は物体側から像側へ順に配置された正の屈折力の第１レンズ群、１つ以上のレンズ群を有し全体として負の屈折力の中間群、複数のレンズ群を有し全体として正の屈折力の後群より構成され、
前記後群は物体側から像側へ順に配置されたズーミングに際して不動の正の屈折力のレンズ群ＬＲｏ、ズーミング及びフォーカシングに際して移動する負の屈折力のレンズ群ＬＲｎ、ズーミング及びフォーカシングに際して、前記レンズ群ＬＲｎとは異なった軌跡で移動する正の屈折力のレンズ群ＬＲｐを有し、
広角端における前記レンズ群ＬＲｎの横倍率をβＲｎｗ、広角端における前記レンズ群ＬＲｐの横倍率をβＲｐｗとするとき、
−０．３７５＜（１−βＲｐｗ２）＊βＲｐｗ２／（１−βＲｎｗ２）
＊βＲｎｗ２＜−０．１４５
なる条件式を満足することを特徴とするズームレンズ。
【請求項２】
複数のレンズ群を有し、ズーミングに際して隣り合うレンズ群の間隔が変化するズームレンズにおいて、
前記複数のレンズ群は物体側から像側へ順に配置された正の屈折力の第１レンズ群、１つ以上のレンズ群を有し全体として負の屈折力の中間群、複数のレンズ群を有し全体として正の屈折力の後群より構成され、
前記後群は物体側から像側へ順に配置されたズーミングに際して不動の正の屈折力のレンズ群ＬＲｏ、ズーミング及びフォーカシングに際して移動する負の屈折力のレンズ群ＬＲｎ、ズーミング及びフォーカシングに際して、前記レンズ群ＬＲｎとは異なった軌跡で移動する正の屈折力のレンズ群ＬＲｐを有し、前記レンズ群ＬＲｎの焦点距離をｆＬＲｎ、前記レンズ群ＬＲｐの焦点距離をｆＬＲｐとするとき、
１．５８＜｜ｆＬＲｐ／ｆＬＲｎ｜＜２．５０
なる条件式を満足することを特徴とするズームレンズ。
【請求項３】
前記レンズ群ＬＲｎはひとつのレンズ要素からなることを特徴とする請求項１又は２に記載のズームレンズ。
【請求項４】
前記レンズ群ＬＲｐはひとつのレンズ要素からなることを特徴とする請求項１乃至３のいずれか１項に記載のズームレンズ。
【請求項５】
前記レンズ群ＬＲｎの焦点距離をｆＬＲｎ、前記レンズ群ＬＲｎの光軸上の厚みをＤｎとするとき、
１４．４＜｜ｆＬＲｎ／Ｄｎ｜＜１７．５
なる条件式を満足することを特徴とする請求項１乃至４のいずれか１項に記載のズームレンズ。
【請求項６】
前記レンズ群ＬＲｐの焦点距離をｆＬＲｐ、前記レンズ群ＬＲｐの光軸上の厚みをＤｐとするとき、
１５．４＜ｆＬＲｐ／Ｄｐ＜２８．０
なる条件式を満足することを特徴とする請求項１乃至５のいずれか１項に記載のズームレンズ。
【請求項７】
広角端から望遠端へのズーミングに際して、前記中間群を構成するレンズ群はいずれも像側へ移動することを特徴とする請求項１乃至６のいずれか１項に記載のズームレンズ。
【請求項８】
前記中間群は負の屈折力のレンズ群のみから構成されることを特徴とする請求項１乃至７のいずれか１項に記載のズームレンズ。
【請求項９】
前記中間群は物体側から像側へ順に配置されたレンズ群ＬＭ１およびレンズ群ＬＭ２から構成されることを特徴とする請求項１乃至８のいずれか１項に記載のズームレンズ。
【請求項１０】
無限遠合焦時において広角端から望遠端へのズーミングにおける前記レンズ群ＬＭ１と前記レンズ群ＬＭ２の移動量をそれぞれＭＭ１、ＭＭ２とするとき、
０．９５＜  ＭＭ２／ＭＭ１＜１．３０
なる条件式を満足することを特徴とする請求項９に記載のズームレンズ。
【請求項１１】
前記レンズ群ＬＭ１の焦点距離をｆＬＭ１、前記レンズ群ＬＭ２の焦点距離をｆＬＭ２とするとき、
０．１２＜ｆＬＭ２／ｆＬＭ１＜０．３６
なる条件式を満足することを特徴とする請求項９又は１０に記載のズームレンズ。
【請求項１２】
前記レンズ群ＬＲｏの焦点距離をｆＬＲｏ、広角端における前記ズームレンズの焦点距離をｆｗとするとき、
０．５２＜ｆＬＲ０／ｆｗ＜０．６５
なる条件式を満足することを特徴とする請求項１乃至１１のいずれか１項に記載のズームレンズ。
【請求項１３】
前記レンズ群ＬＲｎの焦点距離をｆＬＲｎ、広角端における前記ズームレンズの焦点距離をｆｗとするとき、
０．７０＜｜ｆＬＲｎ／ｆｗ｜＜０．８０
なる条件式を満足することを特徴とする請求項１乃至１２のいずれか１項に記載のズームレンズ。
【請求項１４】
広角端における前記レンズ群ＬＲｎの横倍率をβＲｎｗとするとき、
−５．０＜（１−βＲｎｗ２）＊βＲｎｗ２＜−３．０
なる条件式を満足することを特徴とする請求項１乃至１３のいずれか１項に記載のズームレンズ。
【請求項１５】
望遠端における前記レンズ群ＬＲｎの横倍率をβＲｎｔとするとき、
−５．０＜（１−βＲｎｔ２）＊βＲｎｔ２＜−３．０
なる条件式を満足することを特徴とする請求項１乃至１４のいずれか１項に記載のズームレンズ。
【請求項１６】
望遠端において無限遠から近距離へのフォーカシングにおける前記レンズ群ＬＲｐの移動量をＭｐｔ、前記レンズ群ＬＲｎの移動量をＭｎｔとするとき、
−３．８０＜Ｍｎｔ／Ｍｐｔ＜−１．４０
なる条件式を満足することを特徴とする請求項１乃至１５のいずれか１項に記載のズームレンズ。
【請求項１７】
前記レンズ群ＬＲｎの最も物体側のレンズ面の曲率半径と最も像側のレンズ面の曲率半径をそれぞれＲ１ｎ、Ｒ２ｎとするとき、
−１．００＜（Ｒ２ｎ−Ｒ１ｎ）／（Ｒ２ｎ＋Ｒ１ｎ）＜−０．３５
なる条件式を満足することを特徴とする請求項１乃至１６のいずれか１項に記載のズームレンズ。
【請求項１８】
前記後群は、最も像側に負の屈折力のレンズ群ＬＲｉが配置されていることを特徴とする請求項１乃至１７のいずれか１項に記載のズームレンズ。
【請求項１９】
前記レンズ群ＬＲｏは物体側から像側へ順に配置された正の屈折力のレンズ部ＬＲｏ１と正の屈折力のレンズ部ＬＲｏ２を有し、像ぶれ補正に際して前記レンズ部ＬＲｏ２は光軸と垂直方向の成分を持つ方向に移動することを特徴とする請求項１乃至１８のいずれか１項に記載のズームレンズ。
【請求項２０】
前記レンズ部ＬＲｏ１の最も像側のレンズ面は像側に凹形状であることを特徴とする請求項１９に記載のズームレンズ。
【請求項２１】
前記第１レンズ群はズーミングに際して不動であることを特徴とする請求項１乃至２０のいずれか１項に記載のズームレンズ。
【請求項２２】
広角端から望遠端へのズーミングに際して前記第１レンズ群は物体側へ移動がすることを特徴とする請求項１乃至２０のいずれか１項に記載のズームレンズ。
【請求項２３】
請求項１乃至２２のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関し、例えばデジタルスチルカメラ、ビデオカメラ、監視カメラ、放送用カメラ等の撮像装置に用いる撮像光学系として好適なものである。
【背景技術】
【０００２】
近年、撮像装置に用いられる撮像光学系には、高ズーム比で、フォーカシングレンズ群が小型軽量で、フォーカシング速度が速いことや、フォーカシングに際して光学性能の変動が少ないズームレンズが求められている。
【０００３】
これらの要求を満足するズームレンズとして、物体側より像側へ順に正の屈折力の第１レンズ群、複数のレンズ群を含む後群より構成され、第１レンズ群以外のレンズ群でフォーカシングを行ったズームレンズが知られている（特許文献１、２）。
【０００４】
特許文献１では、物体側より像側へ順に、正、正、負、正、の屈折力の第１レンズ群乃至第４レンズ群そして正の屈折力の後群よりなり、第２レンズ群でフォーカスを行ったズームレンズを開示している。
【０００５】
特許文献２では物体側から像側へ順に、正、負、正の屈折力の第１レンズ群乃至第３レンズ群そして正の屈折力の後群よりなり、後群の一部からなる複数のレンズ群でフォーカスを行ったズームレンズを開示している。
【先行技術文献】
【特許文献】
【０００６】
【特許文献１】特開２００９−１９８６５６号公報
【特許文献２】ＷＯ２０１６／０１７７２６
【発明の概要】
【発明が解決しようとする課題】
【０００７】
撮像装置に用いるズームレンズには、所定のズーム比を有し、レンズ系全体が小型であること、フォーカスレンズ群が小型軽量でフォーカシングに際して収差変動が少ないこと等が強く要望されている。
【０００８】
一般に、第１レンズ群以外のレンズ群でフォーカスを行うインナーフォーカス式のズームレンズは第１レンズ群を移動させてフォーカスを行うズームレンズに比べて第１レンズ群の有効径が小さくなり、レンズ系全体の小型化が容易になる。
【０００９】
また、小型軽量のレンズ群を移動させることからレンズ群の駆動力が小さくて済み、機構や制御の難易度が比較的小さくなるため製造も容易となりやすく、さらに、迅速なフォーカスができる等の特徴がある。
【００１０】
しかしながらズームレンズを構成するレンズ群のうちからフォーカスレンズ群を選定するときフォーカスレンズ群の選定が不適切であると、フォーカシングに際して収差変動が大きくなり、物体距離全般にわたり良好な光学性能を得ることが難しくなる。
【００１１】
所定のズーム比を有し、フォーカシングに際しての収差変動が少なく、物体距離全般にわたり高い光学性能を有するズームレンズを得るには、レンズ群の数や各レンズ群の屈折力等を適切に設定することが重要になってくる。
【００１２】
本発明は、高速なフォーカシングが容易でしかもフォーカシングに際しての収差変動が少なく物体距離全般にわたり高い光学性能が容易に得られるズームレンズの提供を目的とする。
【課題を解決するための手段】
【００１３】
本発明のズームレンズは、複数のレンズ群を有し、ズーミングに際して隣り合うレンズ群の間隔が変化するズームレンズにおいて、
前記複数のレンズ群は物体側から像側へ順に配置された正の屈折力の第１レンズ群、１つ以上のレンズ群を有し全体として負の屈折力の中間群、複数のレンズ群を有し全体として正の屈折力の後群より構成され、
前記後群は物体側から像側へ順に配置されたズーミングに際して不動の正の屈折力のレンズ群ＬＲｏ、ズーミング及びフォーカシングに際して移動する負の屈折力のレンズ群ＬＲｎ、ズーミング及びフォーカシングに際して、前記レンズ群ＬＲｎとは異なった軌跡で移動する正の屈折力のレンズ群ＬＲｐを有し、
広角端における前記レンズ群ＬＲｎの横倍率をβＲｎｗ、広角端における前記レンズ群ＬＲｐの横倍率をβＲｐｗとするとき、
−０．３７５＜（１−βＲｐｗ２）＊βＲｐｗ２／（１−βＲｎｗ２）
＊βＲｎｗ２＜−０．１４５
なる条件式を満足することを特徴としている。
【発明の効果】
【００１４】
本発明によれば、高速なフォーカシングが容易でしかもフォーカシングに際しての収差変動が少なく物体距離全般にわたり高い光学性能が容易に得られるズームレンズが得られる。
【図面の簡単な説明】
【００１５】
【図１】実施例１の広角端におけるレンズ断面図
【図２】実施例１の物体距離無限遠における収差図
【図３】実施例１の物体距離至近における収差図
【図４】実施例２の広角端断面図
【図５】実施例２の物体距離無限遠における収差図
【図６】実施例２の物体距離至近における収差図
【図７】実施例３の広角端断面図
【図８】実施例３の物体距離無限遠における収差図
【図９】実施例３の物体距離至近における収差図
【図１０】実施例４の広角端断面図
【図１１】実施例４の物体距離無限遠における収差図
【図１２】実施例４の物体距離至近における収差図
【図１３】実施例５の広角端断面図
【図１４】実施例５の物体距離無限遠における収差図
【図１５】実施例５の物体距離至近における収差図
【図１６】実施例６の広角端断面図
【図１７】実施例６の物体距離無限遠における収差図
【図１８】実施例６の物体距離至近における収差図
【図１９】実施例７の広角端断面図
【図２０】実施例７の物体距離無限遠における収差図
【図２１】実施例７の物体距離至近における収差図
【図２２】実施例８の広角端断面図
【図２３】実施例８の物体距離無限遠における収差図
【図２４】実施例８の物体距離至近における収差図
【図２５】本発明の撮像装置の要部概略図
【発明を実施するための形態】
【００１６】
以下に、本発明の好ましい実施の形態を、添付の図面に基づいて説明する。
【００１７】
本発明のズームレンズは、複数のレンズ群を有し、ズーミングに際して隣り合うレンズ群の間隔が変化する複数のレンズ群は物体側から像側へ順に配置された正の屈折力の第１レンズ群を有する。更に、１つ以上のレンズ群を有し全体として負の屈折力の中間群、複数のレンズ群を有し全体として正の屈折力の後群より構成されている。
【００１８】
後群は物体側から像側へ順に配置されたズーミングに際して不動の正の屈折力のレンズ群ＬＲｏを有する。更に、ズーミング及びフォーカシングに際して移動する負の屈折力のレンズ群ＬＲｎ、ズーミング及びフォーカシングに際してレンズ群ＬＲｎとは異なった軌跡で移動する正の屈折力のレンズ群ＬＲｐを有している。
【００１９】
図１は本発明の実施例１のズームレンズの広角端（短焦点距離端）におけるレンズ断面図である。図２（Ａ）、（Ｂ）、（Ｃ）は、それぞれ、実施例１の無限遠に合焦（フォー
カス）した状態での、広角端、中間ズーム位置、望遠端（長焦点距離端）における収差図である。図３（Ａ）、（Ｂ）、（Ｃ）はそれぞれ実施例１の至近距離に合焦した状態での広角端、中間のズーム位置、望遠端における収差図である。実施例１はズーム比２．６９、Ｆナンバー２．８８のズームレンズである。
【００２０】
図４は本発明の実施例２のズームレンズの広角端におけるレンズ断面図である。図５（Ａ）、（Ｂ）、（Ｃ）は、それぞれ、実施例２の無限遠に合焦した状態での、広角端、中間ズーム位置、望遠端における収差図である。図６（Ａ）、（Ｂ）、（Ｃ）はそれぞれ実施例２の至近距離に合焦した状態での広角端、中間ズーム位置、望遠端における収差図である。実施例２はズーム比２．６９、Ｆナンバー２．８８のズームレンズである。
【００２１】
図７は本発明の実施例３のズームレンズの広角端におけるレンズ断面図である。図８（Ａ）、（Ｂ）、（Ｃ）は、それぞれ、実施例３の無限遠に合焦した状態での、広角端、中間ズーム位置、望遠端における収差図である。図９（Ａ）、（Ｂ）、（Ｃ）はそれぞれ実施例３の至近距離に合焦した状態での広角端、中間ズーム位置、望遠端における収差図である。実施例３はズーム比２．６９、Ｆナンバー４．１０のズームレンズである。
【００２２】
図１０は本発明の実施例４のズームレンズの広角端におけるレンズ断面図である。図１１（Ａ）、（Ｂ）、（Ｃ）は、それぞれ、実施例４の無限遠に合焦した状態での、広角端、中間ズーム位置、望遠端における収差図である。図１２（Ａ）、（Ｂ）、（Ｃ）はそれぞれ実施例４の至近距離に合焦した状態での広角端、中間ズーム位置、望遠端における収差図である。実施例４はズーム比２．６９、Ｆナンバー４．１０のズームレンズである。
【００２３】
図１３は本発明の実施例５のズームレンズの広角端におけるレンズ断面図である。図１４（Ａ）、（Ｂ）、（Ｃ）は、それぞれ、実施例５の無限遠に合焦した状態での、広角端、中間ズーム位置、望遠端における収差図である。図１５（Ａ）、（Ｂ）、（Ｃ）はそれぞれ実施例５の至近距離に合焦した状態での広角端、中間ズーム位置、望遠端における収差図である。実施例５はズーム比２．６９、Ｆナンバー４．１０のズームレンズである
図１６は本発明の実施例６のズームレンズの広角端におけるレンズ断面図である。
【００２４】
図１７（Ａ）、（Ｂ）、（Ｃ）は、それぞれ、実施例６の無限遠に合焦した状態での、広角端、中間ズーム位置、望遠端における収差図である。図１８（Ａ）、（Ｂ）、（Ｃ）はそれぞれ実施例６の至近距離に合焦した状態での広角端、中間ズーム位置、望遠端における収差図である。実施例６はズーム比２．６９、Ｆナンバー２．８８のズームレンズである
図１９は本発明の実施例７のズームレンズの広角端におけるレンズ断面図である。図２０（Ａ）、（Ｂ）、（Ｃ）は、それぞれ、実施例７の無限遠に合焦した状態での、広角端、中間ズーム位置、望遠端における収差図である。図２１（Ａ）、（Ｂ）、（Ｃ）はそれぞれ実施例７の至近距離に合焦した状態での広角端、中間ズーム位置、望遠端における収差図である。実施例７はズーム比２．６９、Ｆナンバー４．１０のズームレンズである
図２２は本発明の実施例８のズームレンズの広角端におけるレンズ断面図である。図２３（Ａ）、（Ｂ）、（Ｃ）は、それぞれ、実施例８の無限遠に合焦した状態での、広角端、中間ズーム位置、望遠端における収差図である。図２４（Ａ）、（Ｂ）、（Ｃ）はそれぞれ実施例８の至近距離に合焦した状態での広角端、中間ズーム位置、望遠端における収差図である。実施例８はズーム比２．６９、Ｆナンバー４．１０のズームレンズである。
【００２５】
図２５は、本発明の撮像装置の要部概略図である。各実施例のズームレンズはビデオカメラ、デジタルスチルカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。Ｌ１は正の屈折力の第１レンズ群である。
【００２６】
ＬＭは１つ以上のレンズ群を有し、ズーム全域にわたり全体として負の屈折力の中間群である。
【００２７】
ＬＲは複数のレンズ群を有し、ズーム全域にわたり全体として正の屈折力の後群である。ＳＰは開放Ｆナンバー（Ｆｎｏ）の光束を決定（制限）する開口絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。矢印は広角端から望遠端へのズーミングに際しての各レンズ群の移動軌跡を示す。
【００２８】
点線の矢印は、近距離にフォーカスしているときの広角端から望遠端へのズーミングにおける移動軌跡を示す。フォーカスに関する矢印は無限遠から近距離へのフォーカシングに際してのレンズ群の移動方向を示している。
【００２９】
収差図においてＦｎｏはＦナンバー、ωは半画角（度）であり、光線追跡値による画角である。球面収差図において、実線のｄはｄ線（波長５８７．５６ｎｍ）、二点鎖線のｇはｇ線（波長４３５．８３５ｎｍ）である。非点収差図において実線のＳはｄ線におけるサジタル像面、破線のＭはｄ線におけるメリディオナル像面である。歪曲収差はｄ線について示している。倍率色収差図において二点鎖線のｇはｇ線である。
【００３０】
各実施例において後群ＬＲは、物体側から像側へ順に配置されたズーミングに際して不動の正の屈折力レンズ群ＬＲｏを有する。更に、ズーミング及びフォーカシングに際して移動する負の屈折力のレンズ群ＬＲｎと、ズーミング及びフォーカシングに際してレンズ群ＬＲｎとは思った軌跡で移動する正の屈折力のレンズ群ＬＲｐを有する。また後群ＬＲには最も像側に負の屈折力のレンズ群ＬＲｉが配置されている。
【００３１】
また、レンズ群ＬＲｏは物体側から像側へ順に配置された正の屈折力のレンズ部ＬＲｏ１と正の屈折力のレンズ部ＬＲｏ２を有している。像ぶれ補正に際してレンズ部ＬＲｏ２を光軸に対して直交方向の成分を持つ方向に移動している。
【００３２】
開口絞りＳＰは、レンズ群ＬＲｏと一体的に配置されている。ただし、開口絞りＳＰの配置についてこれらの配置に限られるものではない。中間群ＬＭは物体側から像側へ順に配置された負の屈折力のレンズ群ＬＭ１と負の屈折力のレンズ群ＬＭ２を有している。
【００３３】
次に、本発明の各実施例の特徴について、説明する。本発明は、広角端におけるレンズ全長の短縮を図りつつ、高ズーム比化とズーム全域に渡り収差を良好に補正することを目的としている、このため、物体側から像側へ順に配置された正の屈折力の第１レンズ群Ｌ１、負の屈折力の中間レンズ群ＬＭを有す構成とした。また、望遠端ではズームレンズが全体としてテレフォトタイプの屈折力配置となるようにして、高いズーム比を得ている。
【００３４】
後群ＬＲは、正の屈折力のレンズ群ＬＲｏ、負の屈折力のレンズ群ＬＲｎ、正の屈折力のレンズ群ＬＲｐ、負の屈折力のレンズ群ＬＲｉを含む複数のレンズ群から構成している。レンズ群ＬＲｎは、レンズ群ＬＲｐより物体側に位置している。ズーミング及びフォーカシングに際してレンズ群ＬＲｎおよびレンズ群ＬＲｐが移動する。レンズ群ＬＲｎとレンズ群ＬＲｐは変倍に際して移動するピント移動（像面変動）を補正する、いわゆるコンペの役割を担っている。
【００３５】
コンペ用のレンズ群は変曲点を有する移動軌跡になりやすいが、製造時の光学性能を高くするためには、機構上、特に変曲点を通過する際の倒れや偏芯を抑えることが重要となる。
【００３６】
従来のように比較的物体側に近く、重量が大きなレンズ群でコンペを行うことは製造上の困難さを増加する要因となっている。これに対してレンズ重量が比較的レンズが軽量となる後群ＬＲの一部のレンズ群でコンペを行うことで製造を容易にしている。さらに、レンズ群ＬＲｎやレンズ群ＬＲｐをひとつのレンズ要素で構成することで、より高い効果を得ることができる。
【００３７】
ここでレンズ要素とは単一レンズ又は複数のレンズを接合した接合レンズである。また、近距離ヘの合焦動作（フォーカシング）においては、球面収差と像面湾曲をバランスよく補正することが重要である。
【００３８】
各実施例において、レンズ群ＬＲｎはレンズ群ＬＲｐより物体側に位置しているため、レンズ群ＬＲｎはレンズ群ＬＲｐと比較して、軸上光線の入射高さが高く、軸外光線の入射高さが小さくなる傾向にある。そのため、各実施例ではレンズ群ＬＲｎでフォーカシングに際しての球面収差の変動を軽減しつつ、レンズ群ＬＲｐで像面湾曲や倍率色収差の変動を軽減しやすい構成としている。
【００３９】
また、負の屈折力のレンズ群ＬＲｉを最も像側に配置することで、バックフォーカスを短くしやすいレンズ構成としている。
【００４０】
各実施例において、広角端におけるレンズ群ＬＲｎの横倍率をβＲｎｗ、広角端におけるレンズ群ＬＲｐの横倍率をβＲｐｗとする。このとき、
−０．３７５＜（１−βＲｐｗ２）＊βＲｐｗ２／（１−βＲｎｗ２）
＊βＲｎｗ２＜−０．１４５          （１）
なる条件式を満足する。
【００４１】
または、レンズ群ＬＲｎの焦点距離をｆＬＲｎレンズ群、ＬＲｐの焦点距離をｆＬＲｐとする。このとき、
１．５８＜｜ｆＬＲｐ／ｆＬＲｎ｜＜２．５０              （２）
なる条件式を満足する。
【００４２】
次に前述の条件式（１）（２）の技術的な意味について説明する。
【００４３】
条件式（１）は、レンズ群ＬＲｎとレンズ群ＬＲｐの合焦敏感度（フォーカス敏感度）の比を適切に設定することで高い光学性能を図りつつ、ズームレンズの小型化を図るためのものである。条件式（１）の下限値を超えると、レンズ群ＬＲｐの合焦敏感度が高くなりすぎて、合焦時（フォーカシング時）の光学性能の変動との分離性が低下し、像面湾曲等を良好に補正することが困難となる。条件式（１）の上限値を超えると、レンズ群ＬＲｎの合焦敏感度が高くなりすぎて、合焦におけるレンズ群の位置制御が困難となる。
【００４４】
また、更に好ましくは、条件式（１）の数値論理を以下のように設定するのがよい。
−０．３６０＜（１−βＲｐｗ２）＊βＲｐｗ２／（１−βＲｎｗ２）
＊βＲｎｗ２＜−０．１６０              （１ａ）
更に好ましくは、条件式（１a）の数値論理を以下のように設定するのがよい
−０．３５５＜（１−βＲｐｗ２）＊βＲｐｗ２／（１−βＲｎｗ２）
＊βＲｎｗ２＜−０．１６５          （１ｂ）
条件式（２）は、レンズ群ＬＲｎの焦点距離とレンズ群ＬＲｐの焦点距離の比を適切に設定することで高い光学性能を図りつつズームレンズの小型化を図るためのものである。条件式（２）の下限値を超えると、レンズ群ＬＲｐの正の屈折力が強くなりすぎて、合焦時の光学性能の変動を軽減することが困難となる。条件式（２）の上限値を超えると、レンズ群ＬＲｐの正の屈折力が弱くなりすぎて、合焦時の光学性能の変動を軽減するためのレンズ群ＬＲｐの繰出量が大きくなり、フォーカス速度が遅くなるので良くない。更に、ズームレンズが大型化するので良くない。
【００４５】
また、更に好ましくは、条件式（２）の数値論理を以下のように設定するのがよい。
１．６２＜｜ｆＬＲｐ／ｆＬＲｎ｜＜２．３９              （２ａ）
また、更に好ましくは、条件式（２a）の数値論理を以下のように設定するのがよい。
１．６４＜｜ｆＬＲｐ／ｆＬＲｎ｜＜２．３５              （２b）
本発明の目的とするズームレンズは、以上の構成により達成されるが、更なる軽量化、高い光学性能、製造容易性を得るためには次の条件のうち少なくとも１つを満足することが望ましい。
【００４６】
レンズ群ＬＲｎの光軸上の厚みをＤｎとする、レンズ群ＬＲｐの光軸上の厚みをＤｐとする。無限遠合焦時において広角端から望遠端へのズーミングにおけるレンズ群ＬＭ１とレンズ群ＬＭ２の移動量をそれぞれＭＭ１、ＭＭ２とする。
【００４７】
ここでレンズ群の移動量とは、広角端におけるレンズ群の光軸上の位置と望遠端におけるレンズ群の光軸上の位置の差をいう。移動量の符号は広角端に比べて望遠端においてレンズ群が像側に位置するときを正、物体側に位置するときを負とする。
【００４８】
レンズ群ＬＭ１の焦点距離をｆＬＭ１、レンズ群ＬＭ２の焦点距離をｆＬＭ２とする。レンズ群ＬＲｏの焦点距離をｆＬＲｏ、広角端におけるズームレンズの焦点距離をｆｗとする。広角端におけるレンズ群ＬＲｎの横倍率をβＲｎｗとする。望遠端におけるレンズ群ＬＲｎの横倍率をβＲｎｔとする。
【００４９】
望遠端において無限遠から近距離へのフォーカシングにおけるレンズ群ＬＲｐの移動量をＭｐｔ、レンズ群ＬＲｎの移動量をＭｎｔとする。レンズ群ＬＲｎの最も物体側のレンズ面の曲率半径と最も像側のレンズ面の曲率半径をそれぞれＲ１ｎ、Ｒ２ｎとする。
【００５０】
このとき次の条件式のうち１つ以上を満足するのが良い。
１４．４＜｜ｆＬＲｎ／Ｄｎ｜＜１７．５                          ・・・（３）
１５．４＜ｆＬＲｐ／Ｄｐ＜２８．０                              ・・・（４）
０．９５＜ＭＭ２／ＭＭ１＜１．３０                              ・・・（５）
０．１２＜ｆＬＭ２／ｆＬＭ１＜０．３６                          ・・・（６）
０．５２＜ｆＬＲ０／ｆｗ＜０．６５                               ・・・（７）
０．７０＜｜ｆＬＲｎ／ｆｗ｜＜０．８０                          ・・・（８）
−５．０＜（１−βＲｎｗ２）＊βＲｎｗ２＜−３．０               ・・・（９）
−５．０＜（１−βＲｎｔ２）＊βＲｎｔ２＜−３．０               ・・・（１０）
−３．８０＜Ｍｎｔ／Ｍｐｔ＜−１．４０                          ・・・（１１）
−１．００＜（Ｒ２ｎ−Ｒ１ｎ）／（Ｒ２ｎ＋Ｒ１ｎ）＜−０．３５  ・・・（１２）
次に前述の条件式の技術的意味について説明する。
【００５１】
条件式（３）はレンズ群ＬＲｎの光軸上の厚み（物体側のレンズ面から像側のレンズ面までの長さ）に関する。条件式（３）の下限値を超えると、レンズ群ＬＲｎの光軸上の厚みが増大し、ズームレンズが大型化するので好ましくない。もしくは、レンズ群ＬＲｎの負の屈折力が強くなりすぎて（負の屈折力の絶対値が大きくなりすぎて）、フォーカシングに際して光学性能の変動を軽減することが困難となる。
【００５２】
条件式（３）の上限値を超えると、レンズ群ＬＲｎの光軸上の厚みが小さくなりすぎて、加工が困難となる。もしくは、レンズ群ＬＲｎの負の屈折力が弱くなりすぎて（負の屈折力の絶対値が小さくなりすぎて）、フォーカシングに際して光学性能の変動を軽減するためのレンズ群ＬＲｎの繰出量が大きくなり、フォーカス速度が遅くなるので良くない。更に、ズームレンズが大型化するので好ましくない。
【００５３】
条件式（４）はレンズ群ＬＲｐの光軸上の厚みに関する。条件式（４）の下限値を超えると、レンズ群ＬＲｐの光軸上の厚みが増大し、ズームレンズが大型化する。もしくは、レンズ群ＬＲｐの正の屈折力が強くなりすぎて、フォーカシングに際して光学性能の変動を軽減することが困難となる。
【００５４】
条件式（４）の上限値を超えると、レンズ群ＬＲｐの光軸上の厚みが小さくなりすぎて、加工が困難となる。もしくは、レンズ群ＬＲｐの正の屈折力が弱くなりすぎて、フォーカシングに際して光学性能の変動を軽減するための繰出量が大きくなり、フォーカス速度が遅くなるので良くない。更に、ズームレンズが大型化する。
【００５５】
条件式（５）はズーミングに際してのレンズ群ＬＭ１とレンズ群ＬＭ２の移動量に関する。条件式（５）の下限値を超えても上限値を超えても、レンズ群の相対移動量が増大し、ズームレンズが大型化する。もしくは、中間群ＬＭが機構上略一体ではなくなり、レンズ群ＬＭ１とレンズ群ＬＭ２の相対的な倒れや偏芯を抑えることが困難となる。
【００５６】
条件式（６）はレンズ群ＬＭ１とレンズ群ＬＭ２の屈折力の比に関する。レンズ群ＬＭ１とレンズ群ＬＭ２は広角端における軸外光線の入射高さ及び、望遠端における軸上光線の入射高さが比較的大きく変動する。このため、広角端と望遠端の諸収差のバランスを取ることが容易となる。  条件式（６）の下限値を超えても上限値を超えても、広角端又は望遠端のいずれかのズーム位置において諸収差を良好に補正することが困難となる。
【００５７】
条件式（７）はレンズ群ＬＲｏの正の屈折力に関する。条件式（７）の下限値を超えると、レンズ群ＬＲｏの正の屈折力が強すぎて、特に軸上の収差を良好に補正することが困難となる。条件式（７）の上限値を超えると、レンズ群ＬＲｏの正の屈折力が弱くなりすぎて、ズームレンズが大型化する。
【００５８】
条件式（８）はレンズ群ＬＲｎの負の屈折力に関する。条件式（８）の下限値を超えると、レンズ群ＬＲｎの負の屈折力が強すぎて（負の屈折力の絶対値が大きくなりすぎて）、ズーミングに際して光学性能の変動を軽減することが困難となる。条件式（８）の上限値を超えると、レンズ群ＬＲｎの負の屈折力が弱くなりすぎて（負の屈折力の絶対値が小さくなりすぎて）、フォーカシングに際して光学性能の変動を軽減するためのレンズ群ＬＲｎの繰出量が大きくなり、フォーカス速度が遅くなるので良くない。更に、ズームレンズが大型化するので良くない。
【００５９】
条件式（９）、（１０）は各々レンズ群ＬＲｎの広角端および望遠端における合焦敏感度に関する。条件式（９）、（１０）の下限値を超えると、レンズ群ＬＲｎの合焦敏感度が高くなりすぎて、合焦におけるレンズ群の位置制御が困難となるので良くない。条件式（９）、（１０）の上限値を超えると、レンズ群ＬＲｎの合焦敏感度が低くなりすぎて、フォーカシングに際してレンズ群ＬＲｎの繰出量が大きくなり、フォーカス速度が遅くなるので良くない。更に、ズームレンズが大型化する。
【００６０】
条件式（１１）はフォーカシングにおけるレンズ群ＬＲｎとレンズ群ＬＲｐの移動量の比に関する。条件式（１１）の下限値を超えても上限値を超えても、球面収差と像面湾曲をバランス良く補正することが困難となる。
【００６１】
条件式（１２）はレンズ群ＬＲｎの物体側のレンズ面と像側のレンズ面の形状に関する。条件式（１２）の下限値を超えても上限値を超えても、フォーカシングに際して光学性能の変動を軽減することが困難となる。
【００６２】
更に好ましくは条件式（３）乃至（１２）の数値範囲を次の如く設定するのが良い。
１４．６＜｜ｆＬＲｎ／Ｄｎ｜＜１７．３                          ・・・（３ａ）
１６．３＜ｆＬＲｐ／Ｄｐ＜２５．８                              ・・・（４ａ）
１．００＜ＭＭ２／ＭＭ１＜１．２０                              ・・・（５ａ）
０．１７＜ｆＬＭ２／ｆＬＭ１＜０．３５                          ・・・（６ａ）
０．５４＜ｆＬＲ０／ｆｗ＜０．６２                              ・・・（７ａ）
０．７２＜｜ｆＬＲｎ／ｆｗ｜＜０．７７                          ・・・（８ａ）
−４．０＜（１−βＲｎｗ２）＊βＲｎｗ２＜−３．３              ・・・（９ａ）
−４．０＜（１−βＲｎｔ２）＊βＲｎｔ＜−３．２              ・・・（１０ａ）
−３．７３＜Ｍｎｔ／Ｍｐ＜−１．４６                          ・・・（１１ａ）
−０．９５＜（Ｒ２ｎ−Ｒ１ｎ）／（Ｒ２ｎ＋Ｒ１ｎ）＜−０．５０ ・・・（１２ａ）
更に好ましくは条件式（３a）乃至（１２a）の数値範囲を次の如く設定するのが良い。
１４．７＜｜ｆＬＲｎ／Ｄｎ｜＜１７．２                          ・・・（３ｂ）
１６．８＜ｆＬＲｐ／Ｄｐ＜２５．５                              ・・・（４ｂ）
１．０１＜ＭＭ２／ＭＭ１＜１．１５                              ・・・（５ｂ）
０．１８＜ｆＬＭ２／ｆＬＭ１＜０．３４                          ・・・（６ｂ）
０．５４５＜ｆＬＲ０／ｆｗ＜０．６１５                          ・・・（７ｂ）
０．７２５＜｜ｆＬＲｎ／ｆｗ｜＜０．７６８                      ・・・（８ｂ）
−３．９＜（１−βＲｎｗ２）＊βＲｎｗ２＜−３．４              ・・・（９ｂ）
−３．９＜（１−βＲｎｔ２）＊βＲｎｔ＜−３．３                ・・・（１０ｂ）
−３．６０＜Ｍｎｔ／Ｍｐ＜−１．５０                           ・・・（１１ｂ）
−０．９０＜（Ｒ２ｎ−Ｒ１ｎ）／（Ｒ２ｎ＋Ｒ１ｎ）＜−０．５２ ・・・（１２ｂ）
本発明の各実施例は、レンズ群ＬＲｏが正の屈折力のレンズ部ＬＲｏ１と正の屈折力のレンズ部ＬＲｏ２を有し、像ぶれ補正に際してレンズ群ＬＲｏ２を光軸に対して垂直方向の成分を有するように移動するのが良い。
【００６３】
正の屈折力のレンズ部ＬＲｏ１では、光線の収斂による小径化を図ることで機構の簡易化を容易にするとともに、最も像側に凹形状の負の屈折力のレンズ面を配置してレンズ部ＬＲｏ２への入射光線を緩めることで、像ぶれ補正の際の収差変動を抑えている。各実施例において中間群ＬＭを構成するレンズ群はいずれも広角端から望遠端へのズーミングに際して像側へ単調増加に移動することが望ましい。移動軌跡が変曲点を有すると、広角端から変曲点に至った時と、望遠端から変曲点に至った時とでレンズ群の倒れや偏芯が不定となりやすく、製造時の性能低下を招きやすい。
【００６４】
また、中間群ＬＭは負の屈折力のレンズ群のみから構成するのが良い。中間群ＬＭが複数のレンズ群から構成される場合は、負の屈折力のレンズ群ＬＭ１および負の屈折力のレンズ群ＬＭ２から構成されることが望ましい。全体として負の屈折力の中間群ＬＭを、負の屈折力のレンズ群と正の屈折力のレンズ群で構成すると、それぞれのレンズ群の屈折力を強めあうこととなり製造上の困難となるため好ましくない。また、中間群ＬＭと同様にズーミングに際して第１レンズ群Ｌ１を移動する場合においても、広角端から望遠端までの移動が単調増加であることが望ましい。
【００６５】
第１レンズ群Ｌ１はズーミングに際して不動であることが良い。又は広角端から望遠端へのズーミングに際して第１レンズ群Ｌ１は物体側へ移動がするのが良い。
【００６６】
以上、本発明の好ましい実施形態について説明したが、本発明はこれらの実施形態に限定されず、その要旨の範囲内で種々の変形及び変更が可能である。
【００６７】
次に本発明のズームレンズを撮像光学系として用いたデジタルスチルカメラ（撮像装置）の実施例に関して図２５を用いて説明する。
【００６８】
図２５において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００６９】
以下に実施例１乃至８に対応する数値データ１乃至８を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。非球面形状は光軸方向にＸ軸、光軸と垂直方向にＨ軸、光の進行方向を正とし、Ｒを近軸曲率半径、Ｋ、Ａ２、Ａ４、Ａ６、Ａ８、Ａ１０、Ａ１２を各々非球面係数とするとき、
【００７０】
【数１】
2020016808.tif 000003
【００７１】
で与えるものとする。
【００７２】
各非球面係数において「ｅ−ｘ」は「１０−ｘ」を意味する。また、焦点距離、Ｆナンバー等のスペックに加え、全系の半画角、像高は半画角を決定する最大像高、レンズ全長はレンズ最前面（第１レンズ面）からレンズ最後面までの光軸上の距離にバックフォーカスを加えた長さである。バックフォーカスＢＦは最終レンズ面から像面までの長さを空気換算長で示している。また、各レンズ群データは各レンズ群とそれらの焦点距離を示している。
【００７３】
また、各光学面の間隔ｄが（可変）となっている部分はズーミングに際して変化するものであり、別表に焦点距離に応じた面間隔を記している。尚、以下に記載する数値データ１乃至８のレンズデータに基づく各条件式の計算結果を表１に示す。
（数値データ１）
単位mm
面データ
面番号       r        d      nd         vd
1        186.937    2.80   1.80440    39.6           
2         83.971    9.70   1.49700    81.5           
3       -521.082    0.20                             
4         99.385    7.43   1.43875    94.7           
5      -1864.595  (可変)                             
6      -4610.876    5.14   1.85150    40.8           
7        -78.464    2.20   1.48749    70.2           
8         56.680  (可変)                             
9       -455.675    1.87   1.49700    81.5           
10         66.160    2.95   1.80000    29.8           
11        164.513    4.54                             
12        -53.271    1.70   1.56384    60.7           
13        217.004  (可変)                             
14(絞り)    ∞       2.00                             
15*        34.065    7.03   1.49700    81.5           
16*       464.956    7.73                             
17         44.079    6.84   1.43875    94.7           
18       -211.754    0.20                             
19         73.006    1.60   1.76200    40.1           
20         28.539    3.02                             
21         42.501    1.60   1.90366    31.3           
22         26.484    0.28                             
23         26.988    4.92   1.43875    94.7           
24         82.324    2.43                             
25         39.452    5.07   1.69680    55.5           
26       -216.365  (可変)                             
27        105.811    2.17   1.92286    20.9           
28        911.435    1.40   1.74100    52.6           
29         27.310  (可変)                             
30        310.901    5.00   1.48749    70.2           
31        -70.603  (可変)                             
32        -56.578    4.09   1.80400    46.6           
33        -33.091    0.20                             
34        -34.005    3.00   1.48749    70.2           
35        288.296   27.68                            
像面        ∞   
非球面データ
第15面
K = 0.00000e+000  A 4=-1.84515e-006  A 6=-1.26584e-009  A 8=-1.51211e-012  A10= 1.56783e-014  A12=-2.98352e-017  
第16面
K = 0.00000e+000  A 4= 3.05138e-006  A 6=-1.04811e-009  A 8= 2.32496e-012  A10= 7.56514e-015  A12=-2.20920e-017  
各種データ
ズーム比      2.69 
広角     中間     望遠
焦点距離      72.00   133.20   194.00  
Fナンバー      2.88     2.88     2.88  
半画角（度）  16.72     9.23     6.36  
像高          21.64    21.64    21.64  
レンズ全長   226.84   226.84   226.84  
レンズ群間隔(無限遠合焦時)
d 5            1.50    34.15    50.74  
d 8            4.47     6.48     9.30  
d13           57.70    23.04     3.63  
d26            0.80     4.42     3.88  
d29           29.66    29.77    32.60  
d31            7.94     4.20     1.91  
至近結像横倍率
-0.143   -0.234   -0.318
レンズ群間隔(至近合焦時)
d 5            1.50    34.15    50.74
d 8            4.47     6.48     9.30
d13           57.70    23.04     3.63
d26            3.16    13.39    23.05
d29           24.67    16.76     4.57
d31           10.56     8.25    10.78
レンズ群データ
群  始面    焦点距離  
1    1     161.29  
LM1   6    -244.41  
LM2   9     -68.56  
LRo  14      43.18  
LRn  27     -55.08  
LRp  30     118.54  
LRi  32    -176.92  
（数値データ２）
単位mm
面データ
面番号       r        d      nd         vd
1        219.296    2.80   1.88300    40.8           
2         96.386    9.34   1.49700    81.5           
3       -425.518    0.20                             
4        103.618    7.25   1.43875    94.7           
5      -1833.431  (可変)                             
6      -1573.071    4.96   1.85150    40.8           
7        -88.493    2.20   1.48749    70.2           
8         66.633  (可変)                             
9       -524.775    1.87   1.49700    81.5           
10         71.822    2.91   1.80000    29.8           
11        170.465    4.13                             
12        -66.174    1.70   1.59522    67.7           
13        201.095  (可変)                             
14*        35.372    6.91   1.49700    81.5           
15*       418.849    3.39                             
16(絞り)    ∞       4.00                             
17         49.902    6.27   1.43875    94.7           
18       -248.064    1.80                             
19         83.454    1.60   1.61293    37.0           
20         29.076    3.12                             
21         44.015    1.60   1.90366    31.3           
22         26.643    0.24                             
23         26.966    4.88   1.43875    94.7           
24         76.347    2.02                             
25         39.379    5.10   1.72916    54.7           
26       -255.891  (可変)                             
27         91.895    2.22   1.92286    20.9           
28       2519.004    1.40   1.78800    47.4           
29         27.024  (可変)                             
30        443.217    5.00   1.48749    70.2           
31        -70.417  (可変)                             
32        -58.853    4.17   1.80400    46.6           
33        -33.234    0.28                             
34        -34.005    3.00   1.48749    70.2           
35        288.296   24.36                            
像面        ∞   
非球面データ
第14面
K = 0.00000e+000  A 4=-1.42428e-006  A 6=-1.20014e-009  A 8=-2.50598e-012  A10= 1.64141e-014  A12=-2.53285e-017  
第15面
K = 0.00000e+000  A 4= 2.91788e-006  A 6=-1.38378e-009  A 8= 1.68072e-012  A10= 7.98718e-015  A12=-1.81178e-017  
各種データ
ズーム比      2.69 
広角     中間     望遠
焦点距離      72.00   133.20   194.00  
Fナンバー      2.88     2.88     2.88  
半画角(度）    16.72     9.23     6.36  
像高           21.64    21.64    21.64  
レンズ全長    228.54   228.54   228.54  
BF             24.36    24.36    24.36  
レンズ群間隔(無限遠合焦時)
d 5            1.50    37.07    54.94  
d 8            4.35     7.21    10.64  
d13           62.59    24.15     2.86  
d26            0.80     4.72     5.03  
d29           31.90    31.88    34.71  
d31            8.67     4.77     1.63  
至近結像横倍率
-0.143   -0.234   -0.318
レンズ群間隔(至近合焦時)
d 5            1.50    37.07    54.94
d 8            4.35     7.21    10.64
d13           62.59    24.15     2.86
d26            2.98    13.42    23.83
d29           26.06    18.13     4.54
d31           12.33     9.81    12.99
レンズ群データ
群  始面    焦点距離  
1    1     177.17  
LM1   6    -269.55  
LM2   9     -74.60  
LRo   14      43.56  
LRn   27     -53.75  
LRp   30     125.04  
LRi   32    -192.31  
（数値データ３）
単位mm
面データ
面番号       r        d      nd         vd
1        179.315    2.80   1.88300    40.8           
2         74.141    7.53   1.49700    81.5           
3       -265.822    0.20                             
4         69.194    6.09   1.43875    94.7           
5      -47989.086  (可変)                             
6       6801.963    4.26   1.88300    40.8           
7        -71.469    2.20   1.48749    70.2           
8         48.282  (可変)                             
9        474.914    1.87   1.49700    81.5           
10         45.979    2.50   1.80000    29.8           
11         89.494    3.37                             
12        -48.853    1.70   1.59522    67.7           
13        105.062  (可変)                             
14*        27.420    4.21   1.49700    81.5           
15*       169.642    2.14                             
16(絞り)    ∞       4.00                             
17         41.227    3.83   1.43875    94.7           
18       -221.427    0.86                             
19         84.522    1.60   1.59551    39.2           
20         24.708    3.46                             
21         51.520    1.60   1.90366    31.3           
22         24.033    3.25   1.43875    94.7           
23         76.922    3.07                             
24         36.208    3.61   1.75700    47.8           
25       -140.822  (可変)                             
26        222.281    1.86   1.92286    20.9           
27       -182.256    1.40   1.74100    52.6           
28         30.443  (可変)                             
29        119.524    4.90   1.48749    70.2           
30        -66.611  (可変)                             
31        -65.169    3.78   1.77250    49.6           
32        -34.005    3.00   1.51742    52.4           
33        288.296   38.71                             
像面        ∞   
非球面データ
第14面
K = 0.00000e+000  A 4=-3.52876e-006  A 6=-3.21793e-009  A 8=-2.53549e-012  A10= 6.60950e-014  A12=-4.75394e-016  
第15面
K = 0.00000e+000  A 4= 4.15257e-006  A 6=-5.99262e-010  A 8= 4.60505e-012  A10=-1.42144e-016  A12=-2.83572e-016  
各種データ
ズーム比      2.69 
広角     中間     望遠
焦点距離       72.00  133.20   194.00  
Fナンバー      4.10     4.10     4.10  
半画角（度）   16.72     9.23     6.36  
像高           21.64    21.64    21.64  
レンズ全長    202.98   202.98   202.98  
BF             38.71    38.71    38.71  
レンズ群間隔(無限遠合焦時)
d 5            1.50    26.54    40.06  
d 8            2.98     4.66     6.05  
d13           43.99    17.27     2.35  
d25            0.80     5.38     5.16  
d28           21.75    23.15    30.22  
d30           14.15     8.17     1.32  
至近結像横倍率
-0.143   -0.246   -0.348
レンズ群間隔(至近合焦時)
d 5            1.50    26.54    40.06
d 8            2.98     4.66     6.05
d13           43.99    17.27     2.35
d25            2.94    14.56    24.42
d28           17.65    11.96     4.82
d30           16.11    10.18     7.46
レンズ群データ
群  始面    焦点距離  
1    1     126.21  
LM1   6    -230.04  
LM2   9     -52.65  
LRo   14      40.01  
LRn   26     -52.64  
LRp   29      88.51  
LRi   31    -166.17  
（数値データ４）
単位mm
面データ
面番号       r        d      nd         vd
1        181.904    2.80   1.88300    40.8           
2         74.995    7.54   1.49700    81.5           
3       -253.190    0.20                             
4         69.793    6.01   1.43875    94.7           
5       15553.952  (可変)                             
6      -4380.614    4.22   1.88300    40.8           
7        -69.614    2.20   1.48749    70.2           
8         47.416  (可変)                             
9        420.767    1.87   1.49700    81.5           
10         46.684    2.46   1.80000    29.8           
11         90.635    3.39                             
12        -47.471    1.70   1.59522    67.7           
13        115.544  (可変)                             
14*        26.954    4.27   1.49700    81.5           
15*       158.497    2.18                             
16(絞り)    ∞       4.00                             
17         44.291    3.66   1.43875    94.7           
18       -243.284    0.53                             
19         72.617    1.60   1.59551    39.2           
20         24.624    4.68                             
21         50.892    1.60   1.90366    31.3           
22         23.694    3.27   1.43875    94.7           
23         71.014    2.65                             
24         35.508    3.73   1.75700    47.8           
25       -137.682  (可変)                             
26        196.259    1.84   1.92286    20.9           
27       -225.756    1.40   1.74100    52.6           
28         30.468  (可変)                             
29        152.221    1.40   1.51742    52.4           
30        191.104    4.25   1.48749    70.2           
31        -67.906  (可変)                             
32        -68.172    3.79   1.77250    49.6           
33        -34.005    3.00   1.51742    52.4           
34        288.296   39.79                             
像面        ∞   
非球面データ
第14面
K = 0.00000e+000  A 4=-3.67183e-006  A 6=-3.38302e-009  A 8=-2.37812e-012  A10= 7.35418e-014  A12=-5.38965e-016  
第15面
K = 0.00000e+000  A 4= 4.17993e-006  A 6=-7.82679e-010  A 8= 6.04434e-012  A10= 7.15620e-015  A12=-3.57963e-016  
各種データ
ズーム比      2.69 
広角     中間     望遠
焦点距離      72.00   133.20   194.00  
Fナンバー      4.10     4.10     4.10  
半画角（度）   16.72     9.23     6.36  
像高           21.64    21.64    21.64  
レンズ全長    204.08   204.08   204.08  
BF             39.79    39.79    39.79  
レンズ群間隔(無限遠合焦時)
d 5            1.50    26.83    40.47  
d 8            2.96     4.48     5.87  
d13           44.16    17.31     2.27  
d25            0.80     5.31     5.00  
d28           21.26    22.47    29.21  
d31           13.37     7.64     1.22  
至近結像横倍率
-0.143   -0.246   -0.347
レンズ群間隔(至近合焦時)
d 5            1.50    26.83    40.47
d 8            2.96     4.48     5.87
d13           44.16    17.31     2.27
d25            2.84    14.16    23.92
d28           16.91    10.92     3.34
d31           15.68    10.35     8.16
レンズ群データ
群  始面    焦点距離  
1    1     126.33  
LM1   6    -211.87  
LM2   9     -53.55  
LRo   14      40.07  
LRn   26     -53.77  
LRp   29      96.78  
LRi   32    -181.83  
（数値データ５）
単位mm
面データ
面番号       r        d      nd         vd
1        205.004    2.80   1.88300    40.8           
2         82.774    6.78   1.49700    81.5           
3       -279.594    0.20                             
4         75.285    5.85   1.43875    94.7           
5      -1430.691  (可変)                             
6      -4024.593    4.32   1.88300    40.8           
7        -67.561    2.20   1.48749    70.2           
8         50.871    2.30                             
9        295.092    1.87   1.49700    81.5           
10         49.307    2.35   1.80000    29.8           
11         89.955    3.48                             
12        -48.401    1.70   1.59522    67.7           
13        106.562  (可変)                             
14*        27.179    4.34   1.49700    81.5           
15*       174.854    2.14                             
16(絞り)    ∞       4.00                             
17         47.450    3.66   1.43875    94.7           
18       -186.591    0.43                             
19         76.583    1.60   1.59551    39.2           
20         25.230    5.77                             
21         50.568    1.60   1.90366    31.3           
22         23.873    3.20   1.43875    94.7           
23         66.912    2.77                             
24         35.764    3.72   1.75700    47.8           
25       -141.782  (可変)                             
26        226.598    1.88   1.92286    20.9           
27       -191.206    1.40   1.74100    52.6           
28         30.442  (可変)                             
29        135.802    4.67   1.48749    70.2           
30        -66.372  (可変)                             
31        -67.105    3.87   1.77250    49.6           
32        -33.525    3.00   1.51742    52.4           
33        304.328   41.15                             
像面        ∞   
非球面データ
第14面
K = 0.00000e+000  A 4=-3.82945e-006  A 6=-3.88478e-009  A 8=-1.78090e-012  A10= 9.10195e-014  A12=-5.58325e-016  
第15面
K = 0.00000e+000  A 4= 3.96682e-006  A 6=-7.80390e-010  A 8= 6.94798e-012  A10= 4.23114e-015  A12=-3.16228e-016  
各種データ
ズーム比      2.69 
広角     中間     望遠
焦点距離      72.00   133.20   194.00  
Fナンバー      4.10     4.10     4.10  
半画角（度）   16.72     9.23     6.36  
像高           21.64    21.64    21.64  
レンズ全長    205.46   205.46   205.46  
BF             41.15    41.15    41.15  
レンズ群間隔(無限遠合焦時)
d 5            1.50    29.22    44.78  
d13           45.65    17.93     2.37  
d25            0.80     5.62     5.29  
d28           21.06    22.38    28.42  
d30           13.40     7.26     1.55  
至近結像横倍率
-0.143   -0.247   -0.349
レンズ群間隔(至近合焦時)
d 5            1.50    29.22    44.78
d13           45.65    17.93     2.37
d25            2.90    14.43    24.41
d28           16.99    11.20     3.66
d30           15.37     9.63     7.19
レンズ群データ
群  始面    焦点距離  
1    1     132.69  
LM1   6     -43.17  
LRo   14     40.80  
LRn   26     -52.28  
LRp   29      92.15  
LRi   31    -182.91  
（数値データ６）
単位mm
面データ
面番号       r        d      nd         vd
1        255.232    2.80   1.88300    40.8           
2        105.723    9.61   1.49700    81.5           
3       -350.673    0.20                             
4        104.636    7.25   1.43875    94.7           
5          ∞     (可変)                             
6      -2303.233    5.54   1.85150    40.8           
7        -78.929    2.20   1.48749    70.2           
8         57.199  (可変)                             
9       -300.635    1.87   1.43875    94.7           
10         65.870    3.06   1.80000    29.8           
11        168.353    4.66                             
12        -53.608    1.70   1.51742    52.4           
13        213.933  (可変)                             
14*        34.710    6.87   1.49700    81.5           
15*       428.915    2.46                             
16(絞り)    ∞       4.00                             
17         49.839    6.21   1.43875    94.7           
18       -233.568    1.25                             
19         86.692    1.60   1.61293    37.0           
20         29.145    5.36                             
21         53.043    1.60   1.90366    31.3           
22         25.821    4.85   1.43875    94.7           
23         67.283    0.92                             
24         36.856    5.62   1.78800    47.4           
25       -195.113  (可変)                             
26        129.663    2.26   1.92286    20.9           
27       -368.485    1.40   1.77250    49.6           
28         29.501  (可変)                             
29        145.360    5.00   1.48749    70.2           
30        -75.125  (可変)                             
31        -65.822    4.38   1.85150    40.8           
32        -34.005    3.00   1.53172    48.8           
33        288.296   32.45                             
像面        ∞   
非球面データ
第14面
K = 0.00000e+000  A 4=-1.51572e-006  A 6=-7.79091e-010  A 8=-2.82503e-012  A10= 1.78966e-014  A12=-3.03850e-017  
第15面
K = 0.00000e+000  A 4= 3.08954e-006  A 6=-9.90475e-010  A 8= 2.01747e-012  A10= 7.37723e-015  A12=-2.11172e-017  
各種データ
ズーム比      2.69 
広角     中間     望遠
焦点距離      72.00   133.20   194.00  
Fナンバー      2.88     2.88     2.88  
半画角（度）   16.72     9.23     6.36  
像高          21.64    21.64    21.64  
レンズ全長   231.63   236.38   238.90  
BF            32.45    32.45    32.45  
レンズ群間隔(無限遠合焦時)
d 5            1.50    40.61    60.85  
d 8            5.03     6.63     8.85  
d13           58.59    22.62     2.69  
d25            0.80     4.79     4.97  
d28           30.34    29.54    31.93  
d30            7.25     4.05     1.49  
至近結像横倍率
-0.145   -0.238   -0.326
レンズ群間隔(至近合焦時)
d 5            1.50    40.61    60.85
d 8            5.03     6.63     8.85
d13           58.59    22.62     2.69
d25            3.05    13.72    23.90
d28           25.26    16.43     3.28
d30           10.07     8.24    11.20
レンズ群データ
群  始面    焦点距離  
1    1     184.59  
LM1   6    -236.33  
LM2   9     -78.30  
LRo   14      44.12  
LRn   26     -54.68  
LRp   29     102.36  
LRi   31    -193.90  
（数値データ７）
単位mm
面データ
面番号       r        d      nd         vd
1        230.090    2.80   1.88300    40.8           
2         99.543    7.17   1.49700    81.5           
3       -477.908    0.20                             
4         90.477    6.36   1.43875    94.7           
5      -45428.819  (可変)                             
6        370.693    5.22   1.81600    46.6           
7        -66.141    2.20   1.48749    70.2           
8         46.789  (可変)                             
9        245.570    1.87   1.43875    94.7           
10         50.242    2.24   1.80000    29.8           
11         87.484    3.60                             
12        -45.097    1.70   1.59522    67.7           
13        160.996  (可変)                             
14*        26.963    4.20   1.49700    81.5           
15*       198.641    2.02                             
16(絞り)    ∞       4.00                             
17         42.075    3.66   1.43875    94.7           
18       -198.166    0.20                             
19         98.594    1.60   1.57501    41.5           
20         24.143    2.82                             
21         49.028    1.60   1.90366    31.3           
22         23.577    3.10   1.43875    94.7           
23         66.326    3.35                             
24         36.141    3.53   1.77250    49.6           
25       -141.761  (可変)                             
26        397.832    1.78   1.92286    20.9           
27       -150.668    1.40   1.65830    57.3           
28         29.153  (可変)                             
29        141.381    4.84   1.48749    70.2           
30        -66.775  (可変)                             
31        -74.311    4.24   1.80400    46.6           
32        -34.005    3.00   1.54814    45.8           
33        288.296   38.06                             
像面        ∞   
非球面データ
第14面
K = 0.00000e+000  A 4=-3.63759e-006  A 6=-3.59322e-009  A 8=-5.33248e-012  A10= 7.84256e-014  A12=-6.82761e-016  
第15面
K = 0.00000e+000  A 4= 4.09288e-006  A 6=-7.08688e-010  A 8= 4.02996e-012  A10=-2.73501e-014  A12=-3.56570e-016  
各種データ
ズーム比      2.69 
広角     中間     望遠
焦点距離      72.00   133.20   194.00  
Fナンバー      4.10     4.10     4.10  
半画角（度）  16.72     9.23     6.36  
像高          21.64    21.64    21.64  
レンズ全長   202.31   215.38   222.31  
BF            38.06    38.06    38.06  
レンズ群間隔(無限遠合焦時)
d 5            1.50    40.28    61.44  
d 8            3.44     3.96     4.14  
d13           42.71    16.47     2.07  
d25            0.80     4.80     4.51  
d28           25.74    26.65    32.11  
d30           11.37     6.46     1.28  
至近結像横倍率
-0.142   -0.243   -0.339
レンズ群間隔(至近合焦時)
d 5            1.50    40.28    61.44
d 8            3.44     3.96     4.14
d13           42.71    16.47     2.07
d25            2.97    14.08    24.00
d28           21.22    14.87     5.88
d30           13.72     8.96     8.03
レンズ群データ
群  始面    焦点距離  
1    1     171.04  
LM1   6    -321.91  
LM2   9     -59.58  
LRo   14      39.55  
LRn   26     -54.40  
LRp   29      93.75  
LRi   31    -197.43  
（数値データ８）
単位mm
面データ
面番号       r        d      nd         vd
1        262.969    2.80   1.88300    40.8           
2        105.883    7.15   1.49700    81.5           
3       -362.945    0.20                             
4         92.786    6.19   1.43875    94.7           
5      -35079.512  (可変)                             
6        399.431    5.22   1.81600    46.6           
7        -64.415    2.20   1.48749    70.2           
8         47.776    3.09                             
9        253.698    1.87   1.43875    94.7           
10         51.113    2.22   1.80000    29.8           
11         88.353    3.63                             
12        -44.785    1.70   1.59522    67.7           
13        164.991  (可変)                             
14*        26.931    4.25   1.49700    81.5           
15*       213.545    1.99                             
16(絞り)    ∞       4.00                             
17         46.361    3.61   1.43875    94.7           
18       -151.336    0.20                             
19        101.585    1.60   1.57501    41.5           
20         24.551    3.83                             
21         49.373    1.60   1.90366    31.3           
22         23.787    3.09   1.43875    94.7           
23         67.477    3.34                             
24         36.408    3.53   1.77250    49.6           
25       -143.647  (可変)                             
26        524.969    1.80   1.92286    20.9           
27       -138.587    1.40   1.65830    57.3           
28         29.425  (可変)                             
29        136.597    4.90   1.48749    70.2           
30        -65.142  (可変)                             
31        -72.990    4.15   1.80400    46.6           
32        -34.005    3.00   1.54814    45.8           
33        288.296   39.27                             
像面        ∞   
非球面データ
第14面
K = 0.00000e+000  A 4=-3.92929e-006  A 6=-3.64602e-009  A 8=-4.91573e-012  A10= 9.66523e-014  A12=-7.32745e-016  
第15面
K = 0.00000e+000  A 4= 4.01936e-006  A 6=-5.58328e-010  A 8= 6.66060e-012  A10=-2.44374e-014  A12=-3.74923e-016  
各種データ
ズーム比      2.69 
広角     中間     望遠
焦点距離      72.00   133.20   194.00  
Fナンバー      4.10     4.10     4.10  
半画角（度）   16.72     9.23     6.36  
像高           21.64    21.64    21.64  
レンズ全長    203.53   216.60   223.53  
BF             39.27    39.27    39.27  
レンズ群間隔(無限遠合焦時)
d 5            1.50    41.01    62.66  
d13           43.22    16.77     2.06  
d25            0.80     4.82     4.33  
d28           25.45    26.19    30.75  
d30           10.70     5.94     1.87  
至近結像横倍率
-0.142   -0.243   -0.340
レンズ群間隔(至近合焦時)
d 5            1.50    41.01    62.66
d13           43.22    16.77     2.06
d25            2.97    14.00    23.90
d28           21.07    14.74     5.64
d30           12.91     8.21     7.40
レンズ群データ
群  始面    焦点距離  
1    1     171.91  
LM1   6     -49.87  
LRo   14      39.95  
LRn   26     -53.76  
LRp   29      91.21  
LRi   31    -190.04  
【００７４】
【表１】
2020016808.tif 000004
【符号の説明】
【００７５】
Ｌ０：ズームレンズ
Ｌ１：第１レンズ群
ＬＭ：中間群
ＬＲ：後群
ＬＲｏ：レンズ群
ＬＲｎ：レンズ群
ＬＲｐ：レンズ群
【図１】
2020016808.tif 000005
【図２】
2020016808.tif 000006
【図３】
2020016808.tif 000007
【図４】
2020016808.tif 000008
【図５】
2020016808.tif 000009
【図６】
2020016808.tif 000010
【図７】
2020016808.tif 000011
【図８】
2020016808.tif 000012
【図９】
2020016808.tif 000013
【図１０】
2020016808.tif 000014
【図１１】
2020016808.tif 000015
【図１２】
2020016808.tif 000016
【図１３】
2020016808.tif 000017
【図１４】
2020016808.tif 000018
【図１５】
2020016808.tif 000019
【図１６】
2020016808.tif 000020
【図１７】
2020016808.tif 000021
【図１８】
2020016808.tif 000022
【図１９】
2020016808.tif 000023
【図２０】
2020016808.tif 000024
【図２１】
2020016808.tif 000025
【図２２】
2020016808.tif 000026
【図２３】
2020016808.tif 000027
【図２４】
2020016808.tif 000028
【図２５】
2020016808.tif 000029